(57)【要約】【課題】双眼で使用する場合に左右のレンズの焦点位置を一致させることができるルーペを提供する。【解決手段】第１のレンズ３から目標物までの光路長と第２のレンズ４から目標物までの光路長との差Ｌ１に起因する左右の焦点位置のずれを、目標物Ｔまでの光路長の短い第２のレンズ４と所定の屈折率、厚さを有する焦点距離補正ガラス５とを同じ光軸上に配置して第２のレンズ４の焦点位置を延ばして補正する。【選択図】図６
2009069722.tif 000002
【特許請求の範囲】
【請求項１】
光軸方向に積層可能な同倍率の２枚のレンズを備え、前記２枚のレンズの積層状態を解き、双眼視との切替使用可能なルーペにおいて、
双眼で使用するとき、前記２枚のレンズのうちの一方のレンズの光軸上に配置して前記２枚のレンズの焦点位置を等しくする調節部を備えていることを特徴とするルーペ。
【請求項２】
前記調節部は前記２枚のレンズのうちの一方のレンズの焦点距離を変える焦点距離補正用光学素子であることを特徴とする請求項１記載のルーペ。
【請求項３】
前記焦点距離補正用光学素子がレンズであることを特徴とする請求項２記載のルーペ。
【請求項４】
前記レンズは前記２枚のレンズのうちの一方のレンズと一体化されていることを特徴とする請求項３記載のルーペ。
【請求項５】
前記２枚のレンズをそれぞれ保持する第１及び第２の枠部材、前記調整部を保持する第３の枠部材を個別に回転可能に連結する連結部を備えていることを特徴とする請求項１、２又は３記載のルーペ。
【請求項６】
前記連結部が固定されるとともに、前記第３つの枠部材を収容するカバーを備えていることを特徴とする請求項５記載のルーペ。
【発明の詳細な説明】
【技術分野】
【０００１】
この発明はルーペに関する。
【背景技術】
【０００２】
従来のルーペとして特開平１１−３２６７９０号公報に記載されたものが知られている。
【０００３】
このルーペは同じ倍率のレンズがそれぞれ取り付けられた２枚のフレームを備えている。両フレームは支持金具を介して接続され、支持金具を中心として回転可能である。
【０００４】
このルーペによれば、２枚のフレームを重ねて２層のレンズとして高い倍率で小さな物体を観察したり、２枚のフレームを１８０度程度に広げて１層のレンズとして比較的低い倍率で物体を観察したりすることができる。
【特許文献１】特開平１１−３２６７９０号公報
【発明の開示】
【発明が解決しようとする課題】
【０００５】
このルーペは使用しないとき２つのフレームを重ねて収納する構造であるため、左右のレンズが光軸方向でずれて収納されている。したがって、２枚のフレームを広げて双眼で使用する場合、左右のレンズの焦点位置が光軸方向でずれるため、一方の眼では焦点の合わない像を見ることになる。
【０００６】
この発明はこのような事情に鑑みてなされたもので、その課題は２枚のレンズを重ねて２層のレンズとして使用し、かつこれを双眼で使用する場合に左右のレンズの焦点位置を一致させることができるルーペを提供することである。
【課題を解決するための手段】
【０００７】
上記課題を解決するため請求項１記載の発明は、光軸方向に積層可能な同倍率の２枚のレンズを備え、前記２枚のレンズの積層状態を解き、双眼視との切替使用可能なルーペにおいて、双眼で使用するとき、前記２枚のレンズのうちの一方のレンズの光軸上に配置して前記２枚のレンズの焦点位置を等しくする調節部を備えていることを特徴とする。
【発明の効果】
【０００８】
この発明によれば、２枚のレンズを重ねて２層のレンズとして使用し、かつこれを双眼で使用する場合に左右のレンズの焦点位置を一致させることができる。
【発明を実施するための最良の形態】
【０００９】
以下、この発明の実施の形態を図面に基づいて説明する。
【００１０】
図１はこの発明の第１実施形態に係るルーペの断面を示す概念図、図２は上カバーを外した状態を示す平面図である。
【００１１】
このルーペは下カバー１と上カバー２と第１のレンズ３を保持する第１のレンズ枠（第１の枠部材）１３と第２のレンズ４を保持する第２のレンズ枠（第２の枠部材）１４と焦点距離補正ガラス板（焦点距離補正用光学素子）５を保持する補正ガラス枠（第３の枠部材）１５とを備えている。第１のレンズ３と第２のレンズ４とは同じ倍率である。本実施形態の焦点距離補正ガラス板５は平行平板状である。焦点距離補正ガラス板５は、両眼で使用する場合、第２のレンズ４と同じ光軸上に配置され、第１のレンズ３と第２のレンズ４との焦点距離を等しくする調節部として機能する。
【００１２】
なお、この実施形態では、焦点距離補正用光学素子として焦点距離補正ガラス板５を用いたが、透明な樹脂で成形された板を焦点距離補正ガラス板５の代わりに用いてもよい。
【００１３】
下カバー１及び上カバー２の断面はそれぞれＬ字形である。下カバー１と上カバー２とが嵌合して断面Ｕ字形のカバー１０が構成される。図１、２では第１のレンズ枠１３、第２のレンズ枠１４及び補正ガラス枠１５がカバー１０に収容されている。
【００１４】
第１のレンズ枠１３、第２のレンズ枠１４及び補正ガラス枠１５の端部は下カバー１の端部に固定された軸（連結部）１１にねじ９で独立回転可能に第１のレンズ３、第２のレンズ４、焦点距離補正ガラス板５が光軸方向に重ねて支持されている。
【００１５】
ねじ９の頭部と第１のレンズ枠１３との間には、平座金８が挿入され、第１のレンズ枠１３と第２のレンズ枠１４との間、第２のレンズ枠１４と補正ガラス枠１５との間にはそれぞれウェーブワッシャ８ａが設けられている。ウェーブワッシャ８ａと第１のレンズ枠１３との間、ウェーブワッシャ８ａと第２のレンズ枠１４との間、ウェーブワッシャ８ａと補正ガラス枠１５との間には、手で第１のレンズ枠１３、第２のレンズ枠１４及び補正ガラス枠１５を回転させたときにフリクションが生じる構成があり、カバー１０から引き出された第１のレンズ枠１３、第２のレンズ枠１４及び補正ガラス枠１５を所定の回転位置に停止させておくことができる。
【００１６】
また、第１のレンズ枠１３、第２のレンズ枠１４及び補正ガラス枠１５には、第１のレンズ枠１３、第２のレンズ枠１４及び補正ガラス枠１５をカバー１０から引き出すための突起１３ａ，１４ａ，１５ａがそれぞれ設けられている。
【００１７】
なお、上カバー２の表面には２つの眼幅調整目盛り２ａが設けられ、第１のレンズ枠１３及び第２のレンズ枠１４の表面にはそれぞれ眼幅調整目盛り２ａに対応する眼幅調整指標１３ａ，１４ａが設けられている（図５参照）。
【００１８】
次に、このルーペの使用方法を図３〜５を用いて説明する。
【００１９】
単眼で使用する場合：
図３は第１のレンズ枠をカバーから引き出した状態のルーペの断面を示す概念図、図４はその上カバーを外した状態を示す平面図である。
【００２０】
低い倍率で比較的広い範囲を観察する場合、一方の手でカバー１０を持ち、カバー１０に収容された第１のレンズ枠１３（図１、２参照）の突起１３ａに他方の手の指を引っ掛け、第１のレンズ枠１３を図４に示すように１８０度回転させて、カバー１０から引き出す。このとき、第２のレンズ枠１４及び補正ガラス枠１５はカバー１０に収容されたままである。
【００２１】
その後、第１のレンズ３を介して目標物を観察する。
【００２２】
なお、図示しないが、高い倍率で小さな目標物を見る場合、図３、４に示す第２のレンズ枠１４の突起１４ａに他方の手の指を引っ掛け、第２のレンズ枠１４をカバー１０から引き出して第１のレンズ枠１３に光軸方向に重ねる。このとき、第１のレンズ３と第２のレンズ４とが重なっているので、第１のレンズ３の２倍の倍率で目標物を観察することができる。
【００２３】
両眼で使用する場合：
図５は第１のレンズ枠１３、第２のレンズ枠１４及び補正ガラス枠１５を引き出した状態を示す平面図である。焦点距離補正ガラス板５と第２のレンズ４とは同じ光軸上に重ねて配置されている。
【００２４】
まず、カバー１０に収容された状態から第１のレンズ枠１３の突起１３ａに他方の手の指を引っ掛け、矢印で示すように所定角度だけ第１のレンズ枠１３を引き出す。
【００２５】
次に、第２のレンズ枠１４の突起１４ａに他方の手の指を引っ掛け、レンズ枠１４を引き出すとともに、補正ガラス枠１５の突起１５ａに他方の手の指を引っ掛け、補正ガラス枠１５を引き出し、第２のレンズ枠１４と補正ガラス枠１５とを重ねる（第２のレンズ４と焦点距離補正ガラス板５とを重ねる）。このとき、観察者の眼幅Ｗによって第１のレンズ枠１３と第２のレンズ枠１４（補正ガラス枠１５）のなす角度は決まる。なお、最初の使用時に眼幅調整したときに突起１３ａ，１４ａとがそれぞれ指示した眼幅調整目盛り２ａの目盛を覚えておけば、２回目以後の使用時に、目盛位置にレンズ枠をセットすることにより簡単に眼幅調整をすることができる。
【００２６】
その後、カバー１０を手で持って目標物を双眼で観察する。
【００２７】
次に、第２のレンズ４と焦点距離補正ガラス板５とを重ねて使用する理由を説明する。
【００２８】
図６は第２のレンズと焦点距離補正ガラス板とを組み合わせた状態を説明する図である。
【００２９】
図６からわかるように、第１のレンズ３と第２のレンズ４とでは目標物Ｔまでの光路長に距離Ｌ１の差がある。なお、Ｌは目標物Ｔと第１のレンズ３と間の距離である。距離Ｌ１によって左右のレンズ３，４の焦点位置にずれが生じる。そこで、第２のレンズ４と焦点距離補正ガラス板５とを同じ光軸上に配置して第２のレンズ４の焦点位置を延ばし、第２のレンズ４と第１のレンズ３との焦点位置を等しくする。距離Ｌ１だけ第２のレンズ４の焦点距離が長くなるように焦点距離補正ガラス板５の屈折率、厚さを決める。その結果、左右同じ倍率の状態でレンズ３，４を使用することができる。
【００３０】
この実施形態によれば、双眼で使用する場合、光路長が短い第２のレンズ４と所定の屈折率、厚さを有する焦点距離補正ガラス板５とを同じ光軸上に配置して第２のレンズ４の焦点位置を延ばすことができるので、左右のレンズの焦点位置を一致させることができる。その結果、左右で等しい条件となるため、双眼での見えの良い観察を行うことができる。
【００３１】
なお、第１のレンズ３及び第１のレンズ枠１３、第２のレンズ４及び第２のレンズ枠１４並びに焦点距離補正ガラス板５及び補正ガラス枠１５をそれぞれ透光性を有する樹脂材で一体成形してもよい。
【００３２】
図７はこの発明の第２実施形態に係るルーペの第２のレンズと焦点距離補正用のレンズとを組み合わせた状態を説明する図である。
【００３３】
この実施形態は調整部として焦点距離補正ガラス板５に代えて焦点距離補正用のレンズ（焦点距離補正用光学素子）５Ａを用いた点で第１実施形態と相違する。
【００３４】
この実施形態では、図７からわかるように、レンズ５Ａと第２のレンズ４とを同じ光軸上に配置して第２のレンズ４の焦点位置を延ばし、第２のレンズ４と第１のレンズ３との焦点位置を等しくした。レンズ５Ａは両面が凹状のレンズである。距離Ｌ１だけ第２のレンズ４の焦点距離が長くなるようにレンズ５Ａの焦点距離を決める。その結果、左右同じ倍率の条件でレンズ３，４を使用することができる。
【００３５】
この実施形態によれば、第１実施形態と同様の効果を奏する。
【００３６】
図８はこの発明の第３実施形態に係るルーペの第２のレンズ４と焦点距離補正用のレンズ５Ａとを一体化した状態を説明する図である。
【００３７】
この実施形態は、第２のレンズ４とレンズ５Ａとが一体化されている点で第２実施形態と相違する。
【００３８】
この実施形態によれば、第１、２実施形態と同様の効果を奏するとともに、第１、２実施形態より光軸方向の寸法を小さくしてコンパクト化を図ることができる。
【００３９】
なお、本発明は重ねて収納されていた２枚のレンズを広げた場合、光軸方向において、２枚のレンズの焦点距離がずれてしまうような構成で左右のレンズ枠が係合されている場合に有効であり、実施形態のように軸回転するものの他スライド機構により双眼となるようなものでも適用できる。
【図面の簡単な説明】
【００４０】
【図１】図１はこの発明の第１実施形態に係るルーペの断面を示す概念図である。
【図２】図２は上カバーを外した状態を示す平面図である。
【図３】図３は第１のレンズをカバーから引き出した状態のルーペの断面を示す概念図である。
【図４】図４は上カバーを外した状態を示す平面図である。
【図５】図５は第１のレンズ枠、第２のレンズ枠及び補正ガラス枠を引き出した状態を示す平面図である。
【図６】図６は第２のレンズと焦点距離補正ガラス板とを組み合わせた状態を説明する図である。
【図７】図７はこの発明の第２実施形態に係るルーペの第２のレンズと焦点距離補正用のレンズとを組み合わせた状態を説明する図である。
【図８】図８はこの発明の第３実施形態に係るルーペの第２のレンズと焦点距離補正用のレンズとを一体化した状態を説明する図である。
【符号の説明】
【００４１】
３：第１のレンズ、４：第２のレンズ、５：焦点距離補正ガラス板（焦点距離補正用光学素子）、５Ａ：レンズ（焦点距離補正用光学素子）、１０：カバー、１１：軸（連結部）、１３：第１のレンズ枠（第１の枠部材）、１４：第２のレンズ枠（第２の枠部材）、１５：補正ガラス枠（第３の枠部材）。
【図１】
2009069722.tif 000003
【図２】
2009069722.tif 000004
【図３】
2009069722.tif 000005
【図４】
2009069722.tif 000006
【図５】
2009069722.tif 000007
【図６】
2009069722.tif 000008
【図７】
2009069722.tif 000009
【図８】
2009069722.tif 000010